(57)【特許請求の範囲】
【請求項１】
断面形状が略Ｌ字形状であって、前記Ｌ字が囲む向きに前記Ｌ字の長辺及び前記Ｌ字の短辺の各先端部を鈎形に折り曲げ、かつ前記Ｌ字の長辺の前記Ｌ字が囲む側に前記Ｌ字の短辺から近い位置に鈎形の第１のリブを配置し前記Ｌ字の短辺から遠い位置に鈎形の第２のリブを配置し前記第１のリブと前記第２のリブとを対向配置した形状とし、長手方向全長にわたって断面形状を同一形状としたフレームと、
前記第１のリブと前記第２のリブの間を通る断面形状を備えた突起を直交する２方向に有し、ＣＲＴとの締結に際し、角の側部にリブを設け、前記リブにより前記ＣＲＴの隅部を位置決めするようにしたコーナー連結部材と、
前記フレーム４個の各断面の前記Ｌ字の短辺と前記第１のリブとの間に嵌着した第１の消磁コイルと、
前記フレーム４個の各断面の前記第２のリブと前記Ｌ字の長辺の鈎形の先端部との間に嵌着した第２の消磁コイルと、
を有し、
前記ＣＲＴの周囲４辺に前記フレーム４個を配置し前記ＣＲＴの周囲４隅に前記コーナー連結部材４個を配置し前記フレームの両端部を前記コーナー連結部材に嵌合させ前記コーナー連結部材４個と前記ＣＲＴの周囲４隅に取り付けた金具とをネジ締結したことを特徴とするＣＲＴの保護装置。
【発明の詳細な説明】
【０００１】
【発明の属する技術分野】
本発明はＣＲＴ（陰極線管）の外周を保護するフレーム構造に関する。
【０００２】
【従来の技術】
テレビジョン受像機やディスプレイモニター等の映像機器において、映像機器を構成するＣＲＴを外力から保護する手段として、一般的に、フロントキャビネット内にＣＲＴを収納し、取り付ける構成が用いられている。
【０００３】
また、特開平11−266416号公報ではＣＲＴの外周を形成する四辺に対応した４つの分割フレームを用い、ＣＲＴを自立させる構成が提案されている。
【０００４】
【発明が解決しようとする課題】
フロントキャビネット内にＣＲＴを収納する構成では、外観デザインが変わる都度、フロントキャビネットを新規に設計・制作する必要があった。このことは成形金型などの製作コストと製作期間が課題となっていた。
また、テレビジョン受像機の大型化に伴い、輸送や保管等の物流の問題も課題となってきている。
【０００５】
さらに、特平11−2666416号公報では、ＣＲＴの４辺に対応した４つのフレームの断面形状が同一でない。従って、この場合もデザインが変わる都度、フレームの新規制作が必要となる。また、ＣＲＴの位置決め構造も複雑である。
本発明は上記課題を解決するもので、ＣＲＴの画面サイズに関わりなく共通の部材を用い、任意サイズのＣＲＴの周囲保護に対応できるＣＲＴ保護装置を提供するものである。また、ＣＲＴ保護装置のリサイクル処理に際し、分解を容易にしリサイクル率の向上を図るものである。
【０００６】
【課題を解決するための手段】
本発明は上記課題を解決するために、ＣＲＴの周囲４辺にそれぞれ嵌着する４つのフレームと，前記４つのフレームを前記ＣＲＴの四隅で一体的に連繋する４つのコーナー連結部材とからなる構成とした。
また、前記４つのフレームの断面形状を長手方向全長にわたって同一とし、マグネシウム合金、アルミニウム合金、亜鉛合金などで構成した。
さらに、前記フレームの断面形状は略コの字状、略矩形状、略Ｌ字状等の一つとし、押し出し成形などの工法により作製した。
さらに、ＣＲＴの四隅に取り付けた金具を、前記コーナー連結部材にネジ締結する構成とした。
さらに、前記各４辺のフレームの内部に消磁コイルを配設する構成とした。
さらに、４つのフレームと４つのコーナー連結部材で枠体状の保護装置を構成するとともに、ＣＲＴのスクリーン面側にフロントエスカッションを取り付け、外観デザインを向上させる構成とした。
上記構成により本発明の保護装置は、ＣＲＴの画面サイズに関わりなく形状が単純な共通の部材を用い、任意サイズのＣＲＴの周囲保護に対応できる。
また、共通の部材を用いることにより、コスト低減と保護装置作製期間を短縮できる。
さらに、ＣＲＴ保護装置のリサイクル処理に際し、分解を容易にしリサイクル率の向上を図れる。
【０００７】
【発明の実施の形態】
本発明における第１の発明は、ＣＲＴの周囲４辺にそれぞれ嵌着する４つのフレームと前記４つのフレームを前記ＣＲＴの四隅で一体的に連繋する４つのコーナー連結部材とからなり、前記コーナー連結部材は異なる２方向に突起を備え、前記ＣＲＴの長辺と短辺に嵌着するそれぞれのフレーム端部が前記突起に嵌合するようにしたことを特徴とするＣＲＴの保護装置としたもので、形状が単純な共通の部材を用い、任意サイズのＣＲＴの周囲保護に対応できる。
また、共通の部材を用いることにより、コスト低減と保護装置作製期間を短縮できる。さらに、ＣＲＴ保護装置のリサイクル処理に際し、分解を容易にしリサイクル率の向上を図れる。
【０００８】
第２の発明は、ＣＲＴの周囲４辺にそれぞれ嵌着する４つのフレームと前記４つのフレームを前記ＣＲＴの四隅で一体的に連繋する４つのコーナー連結部材とからなり、前記コーナー連結部材は異なる２方向に凹部を備え、前記ＣＲＴの長辺と短辺に嵌着するそれぞれのフレーム端部が前記凹部に嵌合するようにしたことを特徴とするＣＲＴの保護装置としたもので、任意サイズのＣＲＴの周囲を保護し、コスト低減と保護装置作製期間を短縮できる。また、分解を容易にしリサイクル率の向上を図れる。
【０００９】
第３の発明は、ＣＲＴの四隅に取り付けた金具を、コーナー連結部材にネジ締結するようにしたことを特徴とする第１〜第２の発明のいずれかに記載のＣＲＴの保護装置としたもので、剛性の高い枠体状保護装置を構成できる。
【００１０】
第４の発明は、ＣＲＴの周囲４辺にそれぞれ嵌着する４つのフレームの断面形状を長手方向全長にわたって同一としたことを特徴とする第１〜第３の発明のいずれかに記載のＣＲＴの保護装置としたもので、保護装置構成部材の共通化を図れ、コスト低減と保護装置作製期間を短縮できる。また、分解を容易にしリサイクル率の向上を図れる。
【００１１】
第５の発明は、さらに、ＣＲＴのスクリーン面側に取り付くフロントパネルを備えたことを特徴とする第１〜第４の発明のいずれかに記載のＣＲＴの保護装置としたもので、外観デザインの向上を図れる。
【００１２】
第６の発明は、各４辺に嵌着したフレーム内に消磁コイルを配設したことを特徴とする第１〜第５の発明のいずれかに記載のＣＲＴの保護装置としたもので、消磁コイルの取り付けを効率よく行える。また、消磁コイル取付用部材を別途用意する必要がない。
【００１３】
第７の発明は、ＣＲＴの周囲４辺にそれぞれ嵌着する４つのフレームと，前記４つのフレームを前記ＣＲＴの四隅で一体的に連繋するごとく異なる２方向に突起を有する４つのコーナー連結部材とを用意し、前記３つのフレームと前記２つのコーナー連結部材とを、前記ＣＲＴの連続する３つの辺にコの字形に嵌着し連結する工程と、残り１つのフレームの両端にそれぞれコーナー連結部材を嵌合させる工程と、前記残り１つのフレームを前記ＣＲＴの残りの辺に嵌着するとともに、前記コの字を形成した２つのフレーム端と前記残り１つのフレームに嵌合した２つのコーナー連結部材とを嵌合させる工程と、ＣＲＴの四隅に取り付けた金具をそれぞれのコーナー連結部材に（ネジ）締結する工程とを備えたことを特徴とするＣＲＴへの保護装置の取り付け方法としたもので、効率良く短時間で保護装置を取り付けできる。
【００１４】
以下、本発明の実施の形態におけるＣＲＴの保護装置とその取り付け方法について、図面とともに説明する。
【００１５】
（実施の形態１）
図１は本発明の実施の形態１におけるＣＲＴの保護装置の分解斜視図、図２は本発明の実施の形態１におけるＣＲＴの保護装置の組立て状態における斜視図、図３は図１を構成するフレームとコーナー連結部材との連繋前の要部拡大斜視図、図４は図１を構成するコーナー連結部材の斜視図とその正面図と側面図、図５は図１を構成するフレームをＣＲＴに嵌着した状態の要部断面図を示す。
【００１６】
図１〜図５において、符号１はＣＲＴ（陰極線管）、２はフレーム（上）、３はフレーム（下）、４はフレーム（左）、５はフレーム（右）、６はコーナー連結部材（左上）、７はコーナー連結部材（右上）、８はコーナー連結部材（左下）、９はコーナー連結部材（右下）、１０はフロントエスカッション、１１はＣＲＴ取り付け金具、１２はＣＲＴ取り付けネジ、１３はネジ取り付け用ボス、１４はＣＲＴ位置決め用リブ、１９はセルフタッピングネジ用孔、６Ｈはコーナー連結部材の側部より水平方向に突き出た突起、６Ｖはコーナー連結部材の側部より垂直方向に突き出た突起を示す。
【００１７】
実施の形態１に係るＣＲＴの保護装置は、例えば、テレビジョン受像機を構成するＣＲＴの保護装置として適用される。
図１〜図５に示すように、本発明のＣＲＴの保護装置は、ＣＲＴ１の周囲４辺（上下左右）にそれぞれ嵌着する４つのフレーム２，３，４，５と、前記４つのフレーム２，３，４，５を前記ＣＲＴ１の四隅で一体的に連繋する４つのコーナー連結部材６，７，８，９とからなる。
【００１８】
前記コーナー連結部材６〜９は矩形の筒体からなり、側部より異なる２方向、即ち、水平方向と垂直方向とに突起６Ｈ，６Ｖを備えてなる。
コーナー連結部材６〜９は、軽量化と剛性維持のため、筒体の内側隅部から延出したリブによりボスを保持する構成とした。前記ボスの一方の端面にはセルフタッピングネジ用孔１９を穿孔してなる。
【００１９】
ＣＲＴ１の上下（長辺）と左右（短辺）に嵌着するそれぞれ４つのフレーム２〜５の端部が前記突起６Ｈ，６Ｖに嵌合する。
また、ＣＲＴ１の四隅に取り付けた取り付け金具１１を、それぞれのコーナー連結部材６〜９のボス端面にネジ締結する構成とした。
ＣＲＴ１とコーナー連結部材６〜９とのネジ締結に際し、前記コーナー連結部材６〜９の角部外面に複数のリブ１４を所定間隔事に設け、該リブ１４により前記ＣＲＴ１の隅部を位置決めするようにした。また、前記リブ１４の端部を面トリし（傾斜面とし）ＣＲＴ装着時のガイド機能を持たせた。
【００２０】
ＣＲＴ１の周囲４辺にそれぞれ嵌着する４つのフレーム２〜５の断面形状を、長手方向全長にわたって同一とした。断面形状は略コの字状、略矩形状、略Ｌ字状の内、いずれか一つとした。実施の形態１では略Ｌ字状のフレームとし、水平方向の辺の下面に鈎形のリブ２０１、２０１を対向配置した。また、Ｌ字状の各辺の先端部を鈎形に折り曲げた形状とした。
前記フレーム２〜５を構成する部材は、マグネシウム合金、アルミニウム合金、亜鉛合金の内、いずれか一つとした。また、押し出し成形等の工法により作製した。押し出し成形した長尺状のフレームはＣＲＴの各４辺に対応した長さ寸法に適宜、切断加工される。
【００２１】
なお、ＣＲＴ１は図１に示すように、ガラス管体から成り、背面側にネック部が突出している。そして、ネック部と反対側にスクリーン面を備え、前記ネックに内蔵された電子銃の照射によりスクリーンに映像が映し出される。
通常、スクリーン面側をパネル部、ネック部に至る略台形錐状の曲面部をファンネル部と呼んでいる。
パネル部の外周には金属製の爆縮防止用金属バンドが所定に巻回されている。前記金属バンドには取り付け金具１１がＣＲＴの四隅に一するごとくスポット溶接などの手段により配設されている。
【００２２】
次に、ＣＲＴの外周４辺（上下左右）に対し、４つのフレーム２〜４と４隅のコーナー連結部材６〜９とを連繋し、組立てる工程の一例を説明する。
【００２３】
例えば図１において、３つのフレーム２，３，４と，２つのコーナー連結部材６，８とを、ＣＲＴ１の連続する３つの辺（上下と左側）にコの字形に嵌着し連結する工程と、残り１つのフレーム５の両端にそれぞれコーナー連結部材７，９を嵌合させる工程と、前記残り１つのフレーム５を前記ＣＲＴ１の残りの辺（右側）に嵌着するとともに、前記コの字を形成した２つのフレーム端２，３と前記残り１つのフレーム５に嵌合した２つのコーナー連結部材７，９とを嵌合させる工程と、ＣＲＴ１の四隅に取り付けた金具１１をそれぞれのコーナー連結部材６〜９にネジ締結する工程とを備えてなる。
【００２４】
実施の形態１におけるＣＲＴの保護装置は上記構成により、コスト低減と保護装置作製期間を短縮できる。さらに、ＣＲＴ保護装置のリサイクル処理に際し、分解を容易にしリサイクル率の向上を図れる。
【００２５】
なお、実施の形態１におけるＣＲＴの保護装置は上記構成の他に、下記構成としてもよい。即ち、
ＣＲＴの周囲４辺にそれぞれ嵌着する４つのフレームと前記４つのフレームを前記ＣＲＴの四隅で一体的に連繋する４つのコーナー連結部材とからなり、前記コーナー連結部材は異なる２方向に凹部を備え、前記ＣＲＴの長辺と短辺に嵌着するそれぞれのフレーム端部が前記凹部に嵌合するように構成してもよい。（図示せず。）
この場合、ＣＲＴへの保護装置の取り付け方法は実施の形態１と同様に、コーナー連結部材に配設した凹部にフレームを挿嵌して実施すればよい。
【００２６】
さらに、実施の形態１において、４つのフレーム２〜５と４つのコーナー連結部材６〜９との結合方法は側部に設けた突起（または凹部）に嵌合する構成の他に、接着やネジ締結の工法を用いてよいことは言うまでもない。
【００２７】
（実施の形態２）
図６は本発明の実施の形態２におけるＣＲＴの保護装置の分解斜視図、図７は本発明の実施の形態２におけるＣＲＴの保護装置の組立て状態における斜視図、図８は図６を構成するフレームをＣＲＴに嵌着した状態の要部断面図を示す。図６〜図８において、符号１５は消磁コイルを示す。その他は実施の形態１と同様とした。
【００２８】
実施の形態２におけるＣＲＴの保護装置も、実質的には実施の形態１と同一構成、同一組み立て方法とした。
【００２９】
異なる構成は、４つのフレーム内部に消磁コイル１５を配設した点である。フレーム２〜５と四隅のコーナー連結部材６〜９から成る連結型フレーム構造体を構成する際、消磁コイル１５をスクリーン面の前方側に併せて配設、巻回してなる。
【００３０】
上記構成により、消磁コイルを別途、ＣＲＴの外周やファンネル部に配設する工程を不要にし、外観上もすっきりした体裁を得られる。
【００３１】
（実施の形態３）
図９は本発明の実施の形態３におけるＣＲＴの保護装置の分解斜視図を示す。図９において、符号１０はフロントエスカッションを示す。その他は実施の形態１と同様とした。
【００３２】
実施の形態３におけるＣＲＴの保護装置も、実質的には実施の形態１と同一構成、同一組み立て方法とした。
異なる構成は、連結型フレーム構造体の前方側（スクリーン面側）よりフロントエスカッション１０を嵌着した点である。フロントエスカッション１０の取り付けは嵌着の他に、ネジ締結、接着、機械的締結など任意に実施してよい。
【００３３】
【発明の効果】
以上の構成により本発明は、ＣＲＴの画面サイズに関わりなく形状が単純な共通の部材を用い、任意サイズのＣＲＴの周囲保護に対応できる。
また、共通の部材を用いることにより、コスト低減と保護装置作製期間を短縮できる。
さらに、ＣＲＴ保護装置のリサイクル処理に際し、分解を容易にしリサイクル率の向上を図れる。
さらに、ＣＲＴのスクリーン面前方向側に消磁コイルを配設でき、スクリーンに対し消磁効果を向上させられる。
さらに、フロントエスカッションによってフレームを覆い、テレビジョン受信機等のデザインを向上させられる。
【図面の簡単な説明】
【図１】本発明の実施の形態１におけるＣＲＴの保護装置の分解斜視図
【図２】本発明の実施の形態１におけるＣＲＴの保護装置の組立て状態における斜視図
【図３】図１を構成するフレームとコーナー連結部材との連繋前の要部拡大斜視図
【図４】図１を構成するコーナー連結部材の斜視図とその正面図と側面図
【図５】図１を構成するフレームをＣＲＴに嵌着した状態の要部断面図
【図６】本発明の実施の形態２におけるＣＲＴの保護装置の分解斜視図
【図７】本発明の実施の形態２におけるＣＲＴの保護装置の組立て状態における斜視図
【図８】図６を構成するフレームをＣＲＴに嵌着した状態の要部断面図
【図９】本発明の実施の形態３におけるＣＲＴの保護装置の分解斜視図
【図１０】従来のＣＲＴの保護装置を示す分解斜視図
【図１１】図１０の組み立て状態を示す斜視図
【符号の説明】
１  ＣＲＴ
２  フレーム（上）
３  フレーム（下）
４  フレーム（左）
５  フレーム（右）
６  コーナー連結部材（左上）
６Ｈ  突起（水平方向）
６Ｖ  突起（垂直方向）
７  コーナー連結部材（右上）
８  コーナー連結部材（左下）
９  コーナー連結部材（右下）
１０  フロントエスカッション
１１  ＣＲＴ取り付け金具
１２  ＣＲＴ取り付けネジ
１３  ネジ取り付け用ボス
１４  ＣＲＴ位置決め用リブ
１５  消磁コイル
１６  フレーム
２０１  リブ
【図１】
0004337202.tif 000002
【図２】
0004337202.tif 000003
【図３】
0004337202.tif 000004
【図４】
0004337202.tif 000005
【図５】
0004337202.tif 000006
【図６】
0004337202.tif 000007
【図７】
0004337202.tif 000008
【図８】
0004337202.tif 000009
【図９】
0004337202.tif 000010
【図１０】
0004337202.tif 000011
【図１１】
0004337202.tif 000012